(57)【特許請求の範囲】
【請求項１】
基地局において無線中継器制御信号を生成する方法であって、
アップリンクタイムスロットおよびダウンリンクタイムスロット内の信号強度が関連する閾値未満に下がったか否かの解析に基づいて、無線中継器増幅を必要とする無線リンクを決定するステップと、
前記決定された無線リンクに関連するタイムスロットのみに増幅要求を含む無線中継器制御メッセージを形成するステップと、
前記無線中継器制御メッセージを送信するステップと
を含む、方法。
【請求項２】
各増幅要求は、タイムスロット中にアップリンク増幅およびダウンリンク増幅の一方のみをアクティブ化するコマンドを含む、請求項１に記載の方法。
【請求項３】
各増幅要求は、タイムスロット中のアップリンク増幅およびダウンリンク増幅の個々のオン／オフコマンドを含む、請求項１に記載の方法。
【請求項４】
無線中継器制御メッセージを送信するステップは、アイドル無線リンクに対してアップリンク増幅およびダウンリンク増幅の両方を非アクティブ化する要求を含む、請求項１に記載の方法。
【請求項５】
前記制御メッセージは、増幅を必要とする無線リンクに関連する副搬送波を識別する、請求項１に記載の方法。
【請求項６】
前記制御メッセージは、必要とされる増幅の程度を示す、請求項５に記載の方法。
【請求項７】
前記制御メッセージは、関連する無線中継器を識別する、請求項１〜６のいずれか一項に記載の方法。
【請求項８】
アップリンクタイムスロットおよびダウンリンクタイムスロット内の信号強度が関連する閾値未満に下がったか否かの解析に基づいて、無線中継器増幅を必要とする無線リンクを決定する信号強度解析器手段（３０、３２）と、
前記決定された無線リンクに関連するタイムスロットのみに増幅要求を含む無線中継器制御メッセージを形成する手段（３４、３６）と、
前記無線中継器制御メッセージを送信する手段（Ａ）と
を含む、基地局装置。
【請求項９】
前記形成する手段（３４、３６）は、タイムスロット中にアップリンク増幅およびダウンリンク増幅のうちの一方のみをアクティブ化するコマンドを含む増幅要求を形成するように構成される、請求項８に記載の基地局装置。
【請求項１０】
前記形成する手段（３４、３６）は、タイムスロット中にアップリンク増幅およびダウンリンク増幅の個々のオン／オフコマンドを含む増幅要求を形成するように構成される、請求項８に記載の基地局装置。
【請求項１１】
前記形成する手段（３４、３６）は、アイドル無線リンクに対してアップリンク増幅およびダウンリンク増幅の両方を非アクティブ化する要求を含む制御メッセージを形成するように構成される、請求項８に記載の基地局装置。
【請求項１２】
前記形成する手段（３４、３６）は、増幅を要求する無線リンクに関連する副搬送波を識別する制御メッセージを形成するように構成される、請求項８に記載の基地局装置。
【請求項１３】
前記形成する手段（３４、３６）は、要求される増幅の程度を示す制御メッセージを形成するように構成される、請求項１２に記載の基地局装置。
【請求項１４】
前記形成する手段（３４、３６）は、関連する無線中継器を識別する制御メッセージを形成するように構成される、請求項８〜１３のいずれか一項に記載の基地局装置。
【請求項１５】
無線中継器を制御する方法であって、
タイムスロットスケジュールを決定するステップと、
アップリンクタイムスロットおよびダウンリンクタイムスロット内の信号強度が関連する閾値未満に下がったか否かの解析に基づいて、無線中継器増幅を必要とすると決定された無線リンクに関連するタイムスロットのみに増幅要求を含む制御メッセージを受信するステップと、
前記受信した制御メッセージから前記増幅要求を抽出するステップと、
前記抽出された増幅要求に従って前記タイムスロット中の増幅を制御するステップと
を含む、方法。
【請求項１６】
タイムスロット中にアップリンク増幅およびダウンリンク増幅のうちの一方のみをアクティブ化するステップを含む、請求項１５に記載の方法。
【請求項１７】
タイムスロット中にアップリンク増幅およびダウンリンク増幅を個々にオン／オフするステップを含む、請求項１５に記載の方法。
【請求項１８】
アイドル無線リンクに対してアップリンク増幅およびダウンリンク増幅の両方を非アクティブ化するステップを含む、請求項１５に記載の方法。
【請求項１９】
前記制御メッセージから増幅を必要とする無線リンクに関連する副搬送波を識別するステップと、
前記識別された副搬送波を増幅し、増幅を必要としない副搬送波を抑圧するステップと
を含む、請求項１５に記載の方法。
【請求項２０】
前記制御メッセージから必要とされる増幅の程度を識別するステップを含む、請求項１９に記載の方法。
【請求項２１】
制御メッセージが、前記メッセージを受信する無線中継器に関する識別子を含むか否かを決定するステップを含む、請求項１５〜２０のいずれか一項に記載の方法。
【請求項２２】
タイムスロットスケジュールを決定するように構成された第１の解析器（２２；２２Ｂ）と、
アップリンクタイムスロットおよびダウンリンクタイムスロット内の信号強度が関連する閾値未満に下がったか否かの解析に基づいて、無線中継器増幅を必要とすると決定された無線リンクに関連するタイムスロットのみに増幅要求を含む制御メッセージを受信する手段（Ａ１）と、
前記受信した制御メッセージから前記増幅要求を抽出するように構成された第２の解析器（２２；２２Ａ）と、
前記抽出された増幅要求に従って前記タイムスロット中の増幅を制御するように構成された制御ユニット（２４）と
を含む、無線中継器。
【請求項２３】
前記制御ユニット（２４）は、タイムスロット中にアップリンク増幅およびダウンリンク増幅のうちの一方のみをアクティブ化するように構成される、請求項２２に記載の無線中継器。
【請求項２４】
前記制御ユニット（２４）は、タイムスロット中にアップリンク増幅およびダウンリンク増幅を個々にオン／オフするように構成される、請求項２２に記載の無線中継器。
【請求項２５】
前記制御ユニット（２４）は、アイドル無線リンクに対してアップリンク増幅およびダウンリンク増幅の両方を非アクティブ化するように構成される、請求項２２に記載の無線中継器。
【請求項２６】
前記第２の解析器（２２；２２Ａ）は、前記制御メッセージから増幅を必要とする無線リンクに関連する副搬送波を識別するように構成され、
調整可能フィルタ（２６）が、増幅を必要としない副搬送波を抑圧するように構成される、請求項２２に記載の無線中継器。
【請求項２７】
前記調整可能フィルタ（２６）は、必要とされる増幅の程度を満たすように、識別された副搬送波を部分的に抑圧するように構成される、請求項２６に記載の無線中継器。
【請求項２８】
前記第２の解析器（２２；２２Ａ）は、制御メッセージが、前記無線中継器に関する識別子を含むか否かを決定するように構成される、請求項２２〜２７のいずれか一項に記載の無線中継器。
【請求項２９】
コンピュータを、
アップリンクタイムスロットおよびダウンリンクタイムスロット内の信号強度が関連する閾値未満に下がったか否かの解析に基づいて、無線中継器増幅を必要とすると決定された無線リンクに関連するタイムスロットのみに増幅要求を有する無線中継器制御チャネルのための帯域幅を含む、無線フレーム構造を形成する手段として機能させるプログラム。
【請求項３０】
各増幅要求は、タイムスロット中にアップリンク増幅およびダウンリンク増幅のうちの一方のみをアクティブ化するコマンドを含む、請求項２９に記載のプログラム。
【請求項３１】
各増幅要求は、タイムスロット中のアップリンク増幅およびダウンリンク増幅を個々にオン／オフするコマンドを含む、請求項２９に記載のプログラム。
【請求項３２】
前記無線フレーム構造は、アイドル無線リンクに対してアップリンク増幅およびダウンリンク増幅の両方を非アクティブ化する要求を有する無線中継器制御チャネルのための帯域幅を含む、請求項２９に記載のプログラム。
【請求項３３】
前記無線フレーム構造は、増幅を必要とする無線リンクに関連する副搬送波を識別する制御メッセージを有する無線中継器制御チャネルのための帯域幅を含む、請求項２９に記載のプログラム。
【請求項３４】
前記制御メッセージは、必要とされる増幅の程度を示す、請求項３３に記載のプログラム。
【請求項３５】
前記無線フレーム構造は、関連する無線中継器を識別する制御メッセージを有する無線中継器制御チャネルのための帯域幅を含む、請求項２９〜３４のいずれか一項に記載のプログラム。
【発明の詳細な説明】
【技術分野】
【０００１】
技術分野
本発明は、一般には無線ネットワーク内の無線中継器に関し、特に、このような中継器の動作の可制御性を改良する方法および装置に関する。
【背景技術】
【０００２】
背景
無線中継器の配備は、無線ネットワークカバレッジの性能を強化するために可能な手段である。通常、無線中継器には、異なる位置に配置された２つのアンテナが設けられる。入力信号が一方のアンテナで受信され、増幅され、他方のアンテナで送信（転送）される。中継器アンテナは、通常、アップリンクおよびダウンリンクで異なる様式で使用される。ダウンリンク信号の受信に使用されるアンテナは、増幅されたアップリンク信号の送信にも使用され、逆もまた同様である。
【０００３】
ＴＤＤ（Ｔｉｍｅ  Ｄｉｖｉｓｉｏｎ  Ｄｕｐｌｅｘ：時分割複信）無線ネットワークでは、アップリンク送信およびダウンリンク送信は、同じ搬送周波数に時分割多重される。したがって、ＴＤＤネットワーク内の無線中継器は、アップリンクおよびダウンリンクを同時に増幅すべきでない。その代わりに、無線中継器は、どの方向（アップリンクまたはダウンリンク）が現在アクティブであるかを何らかの方法で決定し、それに従って動作しなければならない。タイムスロット使用（アップリンクまたはダウンリンク）が時間と共に且つセル間で変化するシナリオは、特に困難である。
【０００４】
米国特許出願公開第２００７／００１５４６２Ａ１号には、移動体に送信されるＴＤＤスケジュールを中継器でも受信して解析することに基づいて、この問題に対処する方法が記載されている。このスケジュールからダウンリンクおよびアップリンクの使用される期間を抽出することにより、増幅を時間的に２つの異なる方向に分けることが可能である。しかし、この方法の欠点は、中継器が、すべての移動体、すなわち、ユーザへの信号およびそれらからの信号を、実際に必要があるのか否かに関わらず、増幅することである。これは増幅を必要としない接続に対して電力を無駄にするのみならず、不必要な干渉も生じさせる。
【０００５】
ＦＤＤ（Ｆｒｅｑｕｅｎｃｙ  Ｄｉｖｉｓｉｏｎ  Ｄｕｐｌｅｘ：周波数分割複信）の無線中継器は、アップリンクおよびダウンリンクの両方で同時に送信できるが（２つのリンクが異なる周波数帯を占有するため）、それもやはり、無線中継器はＴＤＤシステム内の無線中継器と同じ欠点を有する。すなわち、すべての移動体またはユーザへの信号、および移動体またはユーザからの信号を、実際に必要があるのか否かに関わらず、増幅する。
【発明の概要】
【発明が解決しようとする課題】
【０００６】
概要
本発明の目的は、消費電力および生成される干渉を低減するように、無線中継器内のアップリンクおよびダウンリンクの増幅の改良された可制御性を提供することである。
【課題を解決するための手段】
【０００７】
この目的は、添付の特許請求の範囲に従って達成される。
【０００８】
簡潔に言えば、基地局が、無線中継器増幅が必要な無線リンクを決定し、決定された無線リンクに関連するタイムスロットの増幅要求を含む無線中継器制御メッセージを形成する。次に、これら制御メッセージは送信される。これら制御メッセージを受信した中継器は、これら制御メッセージを使用して、増幅が必要な無線リンクのみが増幅され、それにより、消費電力および生成される干渉の両方を低減するように、増幅を制御する。
【０００９】
本発明は、そのさらなる目的および利点と共に、添付図面と併せて行われる以下の説明を参照することにより最良に理解することができる。
【図面の簡単な説明】
【００１０】
図面の簡単な説明
【図１】無線中継器を含む無線ネットワークの簡略ブロック図である。
【図２】例示的なＴＤＤフレームの無線フレーム構造を示す時間図である。
【図３】本発明による無線中継器の実施形態を含む無線ネットワークの簡略ブロック図である。
【図４】図３内の無線中継器の異なる構成を示す。
【図５】基地局における無線中継器制御信号の生成を示すフローチャートである。
【図６】図５の方法を実行する装置の実施形態のブロック図である。
【図７】制御メッセージ構造の実施形態を示す。
【図８】制御メッセージ構造の別の実施形態を示す。
【図９】本発明による無線中継器の別の実施形態のブロック図である。
【図１０】複数搬送波システムの原理を示す時間−周波数図である。
【図１１】本発明による無線中継器の別の実施形態のブロック図である。
【図１２】複数搬送波システムに適した制御メッセージ構造の実施形態を示す。
【図１３】タイムスロットに関連する制御メッセージの例を示す。
【図１４】図１３の制御メッセージの理想的なフィルタ伝達関数を示す。
【図１５】タイムスロットに関連する制御メッセージの別の例を示す。
【図１６】図１５の制御メッセージの理想的なフィルタ伝達関数を示す。
【図１７】タイムスロットに関連する制御メッセージのさらなる例を示す。
【図１８】図１７の制御メッセージの理想的なフィルタ伝達関数を示す。
【図１９】本発明による無線中継器制御方法を示すフローチャートである。
【図２０】いくつかの無線中継器を有するセルを示す。
【図２１】制御メッセージ構造の別の例を示す。
【発明を実施するための形態】
【００１１】
詳細な説明
この説明は、ダウンリンクおよびアップリンクが同じ周波数帯を使用するが、同時には使用しない典型的なＴＤＤシステム内の無線中継器を参照することにより、開始される。後述する本発明の原理は、他のシステムで使用可能であるが、ＴＤＤシステムは、基本的な問題および提案される解決策を説明するのによく適している。
【００１２】
図１は、無線中継器１０を含む無線ネットワークの簡略ブロック図である。中継器は、基地局ＢＳにより送信され、第１のアンテナＡ１により受信される無線信号を増幅するダウンリンク（電力）増幅器ＰＡＤを含む。次に、増幅された信号は第２のアンテナＡ２で再送信される。同様に、無線端末ＭＳから送信された無線信号は、アンテナＡ２により受信され、アップリンク（電力）増幅器ＰＡＵにより増幅され、アンテナＡ１で再送信される。米国特許公開出願第２００７／００１５４６２Ａ１により対処される問題は、増幅器ＰＡＤおよびＰＡＵが正しいタイムスロットで、すなわち、ダウンリンクタイムスロットおよびアップリンクタイムスロットそれぞれの間で、アクティブであることをいかにして確認するかである。米国特許公開出願第２００７／００１５４６２Ａ１号に記載される解決策は、移動体のみならず無線中継器１０でも、基地局ＢＳにより送信されたＴＤＤスケジュールを検出することに基づく。このスケジュールは、ダウンリンクおよびアップリンクの期間を決定する。この情報を抽出することにより、無線中継器１０は、一時に１つのみの方向において増幅し送信することが可能である。
【００１３】
米国特許公開出願第２００７／００１５４６２Ａ１に記載の方法は、タイミング情報のみに基づく。しかし、これは、基地局により処理されるすべての無線リンクが、実際の増幅する必要性に関わりなく、無線中継器により増幅されることを暗示する。これは、電力を無駄にするのみならず、問題を悪化させ、無駄に使われた電力は無線ネットワーク内に干渉も生み出す。
【００１４】
例示的なＴＤＤ無線フレーム構造を図２に示す。この例では、ＴＤＤ無線フレームは、アップリンク（↑）またはダウンリンク（↓）トラフィックに使用できるか、またはアイドル（○）であることができる、１６個のタイムスロットを含む。本発明の文脈の中では、アイドルは、必ずしも、タイムスロットが非アクティブである（いかなる情報も含まない）ことを意味しない。アイドルは、単に、スロットが無線中継器によるいかなる増幅も必要としないことを意味する。どのスロットが増幅を必要とし、どのスロットがアイドルであるかを決定する手順については、図５および図６を参照して、より詳細に後述する。
【００１５】
図３は、本発明による無線中継器２０の実施形態を含む無線ネットワークの簡略ブロック図である。無線中継器は、基地局ＢＳにより送信された制御メッセージを受信する。これら制御メッセージは、ＴＤＤ無線フレーム内のタイムスロットに関連する増幅要求を含む。このようにして、アンテナＡ１で受信された、基地局ＢＳからの信号は、増幅要求を抽出して、増幅器ＰＡＤおよびＰＡＵの動作を制御する制御ユニット２４に転送する解析器２２により解析することができる。制御ユニット２２は、対応するタイムスロットの増幅要求に応じて増幅器をオンまたはオフにする。スロットのタイミングは、解析器２２が、基地局がセル内の移動体にブロードキャストしたＴＤＤスケジュールを調べることにより得ることができる。異なる構成を、図４（ａ）〜図４（ｃ）に示す。ダウンリンク（↓）タイムスロットの場合、図４（ａ）に示すように、増幅器ＰＡＤのみがオンになる。アップリンク（↑）タイムスロットの場合、図４（ｂ）に示すように、増幅器ＰＡＵのみがオンになる。アイドル（○）タイムスロットの場合、図４（ｃ）に示すように、両増幅器はオフになり得る。
【００１６】
図５は、基地局における無線中継器制御信号の生成を示すフローチャートである。ステップＳ１において、基地局は、無線中継器の増幅を必要とする無線リンクを決定する。ステップＳ２は、決定された無線リンクに関連するタイムスロットの増幅要求を含む無線中継器制御メッセージを形成する。ステップＳ３は、無線中継器制御メッセージを少なくとも１つの無線中継器に送信する。
【００１７】
図６は、図５の方法を実行する装置の実施形態のブロック図である。基地局ＢＳは、アップリンク上で受信した信号の強度を測定し、アップリンク信号強度解析器３０において測定値を解析する。同様に、ダウンリンク信号強度解析器３２が、基地局により処理されるセル内の移動体からのダウンリンク信号強度リポートを解析する。解析器３０，３２は、信号強度を閾値（アップリンクとダウンリンクとで等しくてもよく、または等しくなくてもよい）と比較する。信号強度が関連する閾値未満に下がった場合、対応する無線リンクには、無線中継器による増幅が必要であり、その他の場合、増幅は必要ない。解析器３０，３２は、増幅を必要とする無線リンクに対応するタイムスロットの増幅要求を増幅要求記憶装置３４に転送する。記憶装置３４からのタイムスロットおよび増幅要求情報は、１つまたは複数の中継器に送信される制御メッセージを形成する制御メッセージ生成器３６に転送される。
【００１８】
図７は、制御メッセージの実施形態を示す。この実施形態では、２ビットが各タイムスロットに割り当てられる。１ビットが、増幅器ＰＡＤのオン／オフ状態を制御し、他方のビットが増幅器ＰＡＵのオン／オフ状態を制御する（例えば、「１」は「増幅器オン」を示し、「０」は「増幅器オフ」を示し得る）。ＴＤＤシステムでは、通常、各フレーム内の最初のタイムスロットは常に、ダウンリンクフレームである。したがって、図示の制御メッセージは、好ましくは、このスロット内に含まれる制御チャネルにより送信される。制御メッセージは、関連するフレームの１フレーム先に送信されて、次のフレームに適用される増幅要求がもしあれば、それに向けて中継器を準備させる。
【００１９】
図８は、制御メッセージの別の実施形態を示す。このメッセージ構造は、各タイムスロットに１ビットのみを使用し（２ビットに代えて）、中継器に増幅をオンにすべきか、それともオフにすべきかを伝える。この制御メッセージ構造に適した無線中継器を図９に示す。図３の実施形態と同様に、解析器２２の部分２２Ａが増幅要求を抽出して、増幅を制御する制御ユニット２４に転送する。この実施形態では、アップリンクからダウンリンクへの増幅方向を逆にし、同様にダウンリンクからアップリンクへの増幅方向を逆にする、２つのスイッチＳＷ１，ＳＷ２により制御される１つのみの増幅器ＰＡがある。無線中継器はアンテナＡ１においてＴＤＤスケジュールも受信するため、解析器２２のＴＤＤスケジュール解析器部分２２Ｂは、それに従ってスロットのタイミングを決定し、スイッチＳＷ１，ＳＷ２を操作することができる。
【００２０】
本発明について、これまでＴＤＤネットワークを参照して説明したが、同じ原理をＦＤＤ（周波数分割二重）ネットワークで使用することも可能である。ＦＤＤネットワークでは、アップリンクおよびダウンリンクが異なる周波数帯を使用し、無線中継器が両方を同時に増幅し得ることは確かである。しかし、それでもやはり、増幅器をオンオフすることが望ましいであろう。例えば、基地局は、無線端末での受信品質が増幅なしでも許容可能なことを知り得る。このような場合、信号の増幅は無駄である。さらに、増幅はネットワーク内の干渉レベルを増大させる。
【００２１】
上述の説明は、基地局と移動端末とのリンクが送信帯域幅全体を占有する場合に焦点を当ててきた。これは、例えば、時分割または符号分割多元接続（それぞれＴＤＭＡおよびＣＤＭＡ）の場合である。しかし、本発明の基本原理は、タイムスロット中に利用可能な帯域幅が周波数分割多元接続（ＦＤＭＡ）により共有されるシステムに使用することもできる。ＦＤＭＡは、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）ネットワークで容易に達成し得る。ＯＦＤＭでは、帯域幅は複数の副搬送波を含み、データシンボルは並列にこれら副搬送波を介して送信される。異なる副搬送波を異なるリンク（ユーザ）に割り当てることにより、利用可能な帯域幅をいくつかのリンクで共有することができる。これは、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：直交周波数分割多元接続）と呼ばれることもある。
【００２２】
ＦＤＭＡシステムでは、タイムスロットは、多くの副帯域を含む。しかし、所与の無線リンクに割り振られる副帯域の数は、図１０に示すように、利用可能な帯域幅の一部分のみを占有し得る。各タイムスロットがいくつかの無線リンクを含み得ることに留意する。図１０では、グレーで示される無線リンクは増幅を必要とし、アイドル無線リンクは白色である。無線リンクが、図示のフレーム内のスロット１に示すように、時間に伴って帯域幅を変更し得ることにも留意する。ＯＦＤＭＡシステムでは、副帯域は通常、いくつかの副搬送波を含み、無線リンクは１つまたはいくつかの副帯域に割り当てることができる。
【００２３】
ＦＤＭＡ複数搬送波システム内の無線リンクは、タイムスロット内で利用可能な全周波数帯に満たない周波数帯を使用し得るため、実際には、増幅が必要な場合に増幅すべきなのは、リンクにより使用される副帯域のみである。これは、図１１に示すように、無線中継器内でのフィルタリングにより達成することができる。図１１内の実施形態は図９の実施形態と同様であるが、この場合、調整可能フィルタ２６が増幅器ＰＡの前に挿入されている。増幅器ＰＡはタイムスロット中にオンにし得るが、実際に増幅される周波数帯は、制御ユニット２４により制御されるパラメータである調整可能フィルタ２６の伝達関数に依存する。フィルタパラメータは、図１２〜図１６を参照して説明するように、増幅要求を解析することにより得ることができる。
【００２４】
図１２は、複数搬送波システムに適したフレームの制御メッセージ構造の実施形態を示す。各副帯域ＳＢ１，ＳＢ２，・・・，ＳＢＫには、無線中継器による増幅が要求されるか否かを指定する１ビットが関連付けられる。この例では、フレーム長はタイムスロット１６個分であるが、より多数またはより少数のスロットも可能である。一例では、フレーム長はタイムスロット１個分であり得る。
【００２５】
図１３は、タイムスロットに関連する制御メッセージの例を示す。グレーエリアは、無線中継器による増幅を必要とする無線リンクの副帯域を表す。残り（白色）のエリアは、増幅を必要としないか、または情報を含まない。すなわち、アイドルである。
【００２６】
図１４は、図１３の制御メッセージの理想的なフィルタ伝達関数を示す。この場合、フィルタは、増幅を必要とする副帯域により占有される周波数帯を変更せずに増幅器に渡し、残りの周波数を抑圧するバンドパスフィルタである。実際には、通過帯域外のフィルタ特性は、信号がこれら周波数帯内で抑圧されて、干渉の発生が回避される限り、重要ではない。実際には、通過帯域内のフィルタ特性も重要ではない。したがって、フィルタ伝達関数振幅が通過帯域内で平坦である必要は必ずしもない。したがって、通過帯域（ｐａｓｓ−ｂａｎｄｓ）から消去帯域（ｓｔｏｐ−ｂａｎｄｓ）まで段階的に低減するフィルタ伝達関数振幅を有する任意のフィルタが実現可能である。一般的な概念は、消去帯域よりも通過帯域を強く増幅することである。
【００２７】
図１５は、タイムスロットに関連する制御メッセージの別の例を示す。この場合、増幅を必要とする、異なる周波数帯を占有する２つの無線リンクがある。図１６は、図１５の制御メッセージの理想的なフィルタ伝達関数を示す。
【００２８】
図１７は、タイムスロットに関連する制御メッセージの別の例を示す。この場合、濃いグレーの周波数帯に関連する無線リンクは、薄いグレーの周波数帯に関連する無線リンクよりも強い増幅を必要とする。このような区別は、図１２の各副帯域に２ビット以上を割り当てることにより得ることができる。図１８は、図１７の制御メッセージの理想的なフィルタ伝達関数を示す。より弱い増幅を必要とするリンクが、完全な増幅を必要とするリンクよりも部分的に抑圧されることに留意する。この手法の背後にある概念は、無線リンクを実際に必要な程度だけ増幅し、それにより、不必要な電力の消費および干渉の発生を回避することである。
【００２９】
これまで説明してきたＦＤＭＡ複数搬送波システムでは、無線リンクに関連する副搬送波が１つまたはいくつかの連続した副帯域を占有すると仮定されている。しかし、これは必須ではない。例えば、いわゆる分散複数アクセスシステム（ｄｉｓｔｒｉｂｕｔｅｄ  ｍｕｌｔｉｐｌｅ  ａｃｃｅｓｓ  ｓｙｓｔｅｍ）では、無線リンクは、利用可能なスペクトルにわたって分散した副搬送波により形成される。上述した原理は、このようなシステムに対してもやはり適用可能であるが、アイドル副搬送波のフィルタリングはより困難であるように考えられ得る。しかし、上述したように、アイドル副搬送波の抑圧に対する要件がむしろそれほど厳しくないため、これは実際には問題ではない。したがって、より一般的には、ＦＤＭＡ複数搬送波システムの無線リンクは、利用可能な副搬送波のサブセットにより形成される。
【００３０】
図１９は、本発明による無線中継器制御方法を要約するフローチャートである。ステップＳ４はタイムスロットスケジュールを決定する。ステップＳ５は、決定されたスケジュール内にタイムスロットの増幅要求を含む制御メッセージを受信する。ステップＳ６は、受信した制御メッセージから増幅要求を抽出する。ステップＳ７は、抽出された増幅要求に応じてタイムスロット中に増幅をオン／オフする。制御メッセージが、増幅を要求する無線リンクに関連する副帯域を識別した場合、フィルタリングステップＳ８を追加して、増幅が必要な副帯域に属さない副搬送波を抑圧することができる。
【００３１】
上記説明では、すべての移動体への信号、およびすべての移動体からの信号を、実際に実行する必要があるのか否かに関わりなく中継器が増幅することを回避する技法を説明した。しかし、従来技術の別の欠点は、セル内のすべての中継器が、いくつかの中継器が移動体から離れており、通信品質を強化しない場合であっても、移動体への信号および移動体からの信号を増幅することである。この状況を図２０に示す。ここでは、基地局ＢＳは、同じ制御メッセージをすべての無線中継器１〜４にブロードキャストするが、中継器２〜４は移動体ＭＳから遠すぎて、通信品質を実際には強化しない。したがって、一般に、必ずしもすべての中継器ノードが信号を増幅する必要はない。
【００３２】
上記問題は、セル内の各無線中継器に一意の（セル内で）識別情報（ＩＤ）を関連付けることにより、解決することができる。このようにして、個々の増幅要求を各中継器に送信することができる。制御メッセージ構造の例を図２１に示す。この構造では、各中継器はそのＩＤにより識別され、各ＩＤには個々の増幅要求が関連付けられる。中継器は、各自のＩＤのみを「リッスン（ｌｉｓｔｅｎｓ）」し、特定の増幅要求を抽出し、他のすべての要求は無視する。例えば、タイムスロット１では、図２０の中継器３は、増幅要求１．３のみを見、タイムスロット２では、増幅要求２．３のみを見る。
【００３３】
通信システムが、カバレッジエリア内の中継器の位置およびアドレスを完全に制御する場合、アクティブ化すべき中継器の選択は、位置情報に基づくことができる。次に、ユーザ端末に達成可能な任意の場所関連情報を使用して、適切な中継器または中継器セットを選択することができる。正確な位置が利用可能な場合、このような選択はかなり簡単になる。他の場合、方向情報が利用可能であり得る。さらに、任意の特徴的な無線信号外乱等の他の場所関連情報も選択のために使用し得る。
【００３４】
システムが、中継器の位置について何も知らない場合、中継器がまったく存在しない場合であっても、以下の例と同様の手順を使用し得る。１６個の中継器のアドレス空間が利用可能であると仮定する。信号品質は、特定のユーザ端末との通信で低いこと、すなわち、中継器支援の必要性が存在することが分かっている。基地局は、期間Δｔ中に利用可能なすべての中継器をアクティブ化する命令を送信する。信号状態が、このような対策により改良されることが分かった。中継器のうちの少なくとも１つが、ユーザ端末の割り当てに適切な場所にあったと結論付けることができる。期間Δｔが経過した場合、中継器番号１〜８に動作継続を命令する新たな制御信号が送信される。品質の改良は同じままであり、中継器９〜１６が改良に寄与しなかったことを示す。別の期間Δｔの後、中継器番号１〜４に動作の継続を命令する新たな制御信号が送信される。ここで、改良が消失した。別の期間Δｔの後、中継器番号５および６に動作を命令する新たな制御信号が送信される。改良がまだ見えない。さらに別の期間Δｔ後、中継器番号７に動作を命令する新たな制御信号が送信される。ここで、改良が再び見られた。中継器番号７が本状況に適切なものであると結論付けることができる。なお、システムはまだ、中継器番号７の正確な位置を知らない。中継器番号７が有効に使用されるという情報は、ここで、利用可能なすべての信号状態情報および場所関連情報に関連付けられると共に、好ましくは、日時、ユーザ端末タイプ、さらには加入者識別情報等の他の情報とも関連付けられ、経験データベースを改良する関連付けアルゴリズムに提供される。ユーザ端末が次に同様の状況を呈したとき、システムは、中継器番号７がよい支援候補であると結論付け得る。
【００３５】
説明した実施形態内の各種ブロックの機能は、通常、１つまたは複数のマイクロプロセッサまたはマイクロ／信号組み合わせおよび対応するソフトウェアにより得られる。
【００３６】
添付の特許請求の範囲により規定される本発明の範囲から逸脱せずに、各種変形および変形を本発明に対して行い得ることが当業者には理解される。
【図１】
0005393697.tif 000002
【図２】
0005393697.tif 000003
【図３】
0005393697.tif 000004
【図４】
0005393697.tif 000005
【図５】
0005393697.tif 000006
【図６】
0005393697.tif 000007
【図７】
0005393697.tif 000008
【図８】
0005393697.tif 000009
【図９】
0005393697.tif 000010
【図１０】
0005393697.tif 000011
【図１１】
0005393697.tif 000012
【図１２】
0005393697.tif 000013
【図１３】
0005393697.tif 000014
【図１４】
0005393697.tif 000015
【図１５】
0005393697.tif 000016
【図１６】
0005393697.tif 000017
【図１７】
0005393697.tif 000018
【図１８】
0005393697.tif 000019
【図１９】
0005393697.tif 000020
【図２０】
0005393697.tif 000021
【図２１】
0005393697.tif 000022